【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
振動板と、当該振動板を振動可能に支持するためのエッジおよびダンパで構成される支持系部材と、当該振動板を振動可能にする駆動力を発生させるボイスコイルとを含むスピーカと、
前記振動板の振動変位に対する前記支持系部材のスティフネスを示す振動変位特性をモデル化した固定のパラメータと、前記ボイスコイルに作用する力係数であって前記振動板の振動変位に対する力係数を示す振動変位特性をモデル化した固定のパラメータとを少なくとも含むフィルタ係数であって、各パラメータの非線形成分を打ち消すように設定されたフィルタ係数に基づいて、前記スピーカに入力されるべき電気信号をフィードフォワード処理するフィードフォワード処理部と、
前記振動板の振動を検出し、当該振動に関する電気信号を、前記スピーカに入力されるべき電気信号に対してフィードバック処理するフィードバック処理部とを備え、
前記フィードバック処理部は、前記支持系部材のスティフネスを示す振動変位特性の変化を打ち消すように、かつ、前記振動板の振動に関する周波数特性を所望の周波数特性となるように、前記振動に関する電気信号をフィードバック処理する、スピーカ装置。
【請求項２】
前記フィードバック処理部は、
前記スピーカに入力されるべき電気信号を入力とし、当該電気信号の周波数特性を前記所望の周波数特性に変換する理想フィルタと、
前記振動板の振動を検出するセンサと、
前記理想フィルタにおいて変換された所望の周波数特性を示す電気信号と前記センサにおいて検出された前記振動に関する電気信号との差分をとり、当該差分した電気信号を誤差信号として出力する第１の加算器と、
前記フィードフォワード処理部において処理された電気信号と前記誤差信号とを加算して、前記スピーカに出力する第２の加算器とを有する、請求項１に記載のスピーカ装置。
【請求項３】
前記フィードフォワード処理部は、
前記スピーカに入力されるべき電気信号を入力とし、前記フィルタ係数に基づいて、当該電気信号を処理する除去フィルタと、
前記スピーカに入力されるべき電気信号を入力とし、前記振動板が線形で振動すると仮定したときの振動変位を示す電気信号を生成する線形フィルタとを有し、
前記除去フィルタは、前記線形フィルタにおいて生成された振動変位を示す電気信号を参照することを特徴とする、請求項２に記載のスピーカ装置。
【請求項４】
前記第２の加算器と前記スピーカとの間に設けられ、前記スピーカに入力されるべき電気信号のゲインを増幅するパワーアンプをさらに備え、
前記除去フィルタにおける前記フィルタ係数、前記理想フィルタにおけるフィルタ係数、および前記線形フィルタにおけるフィルタ係数は、前記パワーアンプにおいて増幅されるゲインの逆数が乗算されたフィルタ係数である、請求項３に記載のスピーカ装置。
【請求項５】
前記センサにおいて検出された電気信号は、前記振動板の振動変位を示す電気信号であり、
前記フィードフォワード処理部は、前記センサにおいて検出された振動変位を示す電気信号を参照することを特徴とする、請求項２に記載のスピーカ装置。
【請求項６】
前記フィードフォワード処理部の前段に設けられ、前記スピーカに入力されるべき電気信号を入力とし、前記所望の周波数特性を前記スピーカが有する振動に関する特性で除算して求められるフィルタ係数に基づいて処理する前段フィルタをさらに備える、請求項２に記載のスピーカ装置。
【請求項７】
前記スピーカに所定のレベル以上の電気信号が入力されないように電気信号のレベルを制限するリミッタをさらに備える、請求項２に記載のスピーカ装置。
【請求項８】
前記第２の加算器と前記スピーカとの間に設けられ、前記スピーカに入力されるべき電気信号のゲインを増幅するパワーアンプをさらに備え、
前記フィードフォワード処理部における前記フィルタ係数と前記理想フィルタにおけるフィルタ係数は、前記パワーアンプにおいて増幅されるゲインの逆数が乗算されたフィルタ係数である、請求項２に記載のスピーカ装置。
【請求項９】
前記フィードフォワード処理部は、前記スピーカの前段に設けられ、かつ、前記フィードバック処理部で形成されるフィードバックループ内に設けられることを特徴とする、請求項１に記載のスピーカ装置。
【請求項１０】
前記フィードバック処理部は、
前記スピーカに入力されるべき電気信号を入力とし、当該電気信号の周波数特性を前記所望の周波数特性に変換する理想フィルタと、
前記振動板の振動を検出するセンサと、
前記理想フィルタにおいて変換された所望の周波数特性を示す電気信号と前記センサにおいて検出された前記振動に関する電気信号との差分をとり、当該差分した電気信号を誤差信号として出力する第１の加算器と、
前記スピーカに入力されるべき電気信号と前記誤差信号とを加算して、前記フィードフォワード処理部に出力する第２の加算器とを有し、
前記フィードフォワード処理部は、前記第２の加算器から出力された電気信号をフィードフォワード処理して前記スピーカに出力する、請求項１に記載のスピーカ装置。
【請求項１１】
前記第２の加算器と前記フィードフォワード処理部との間に設けられ、前記スピーカに入力されるべき電気信号のゲインが第１の周波数以下の周波数帯域において−６ｄＢ／ｏｃｔ以下の傾きで傾斜する特性を示すフィルタ係数を有するローパスフィルタをさらに備え、
前記第１の周波数は、前記フィードバック処理部で形成されるフィードバックループの開ループ伝達特性が示すゲイン交差周波数以上の周波数であることを特徴とする、請求項１０に記載のスピーカ装置。
【請求項１２】
前記フィードフォワード処理部の前段に設けられ、前記スピーカに入力されるべき電気信号のゲインが第２の周波数以下の周波数帯域において６ｄＢ／ｏｃｔ以上の傾きで傾斜する特性を示すフィルタ係数を有するハイパスフィルタをさらに備え、
前記第２の周波数は、前記フィードバック処理部で形成されるフィードバックループの開ループ伝達特性が示すゲイン交差周波数以上の周波数であることを特徴とする、請求項１０に記載のスピーカ装置。
【請求項１３】
前記第２の加算器と前記フィードフォワード処理部との間に設けられ、前記スピーカに入力されるべき電気信号のゲインが第１の周波数以下の周波数帯域において−６ｄＢ／ｏｃｔ以下の傾きで傾斜する特性を示すフィルタ係数を有するローパスフィルタと、
前記フィードフォワード処理部の前段に設けられ、前記スピーカに入力されるべき電気信号のゲインが第２の周波数以下の周波数帯域において６ｄＢ／ｏｃｔ以上の傾きで傾斜する特性を示すフィルタ係数を有するハイパスフィルタとをさらに備え、
前記第１および第２の周波数は、前記フィードバック処理部で形成されるフィードバックループの開ループ伝達特性が示すゲイン交差周波数以上の周波数であることを特徴とする、請求項１０に記載のスピーカ装置。
【請求項１４】
前記フィードフォワード処理部は、
前記第２の加算器から出力された電気信号を入力とし、前記フィルタ係数に基づいて、当該電気信号を処理する除去フィルタと、
前記第２の加算器から出力された電気信号を入力とし、前記振動板が線形で振動すると仮定したときの振動変位を示す電気信号を生成する線形フィルタとを有し、
前記除去フィルタは、前記線形フィルタにおいて生成された振動変位を示す電気信号を参照することを特徴とする、請求項１０に記載のスピーカ装置。
【請求項１５】
前記フィードフォワード処理部と前記スピーカとの間に設けられ、前記スピーカに入力されるべき電気信号のゲインを増幅するパワーアンプをさらに備え、
前記除去フィルタにおける前記フィルタ係数、前記理想フィルタにおけるフィルタ係数、および前記線形フィルタにおけるフィルタ係数は、前記パワーアンプにおいて増幅されるゲインの逆数が乗算されたフィルタ係数である、請求項１４に記載のスピーカ装置。
【請求項１６】
前記センサにおいて検出された電気信号は、前記振動板の振動変位を示す電気信号であり、
前記フィードフォワード処理部は、前記センサにおいて検出された振動変位を示す電気信号を参照することを特徴とする、請求項１０に記載のスピーカ装置。
【請求項１７】
前記第２の加算器の前段に設けられ、前記スピーカに入力されるべき電気信号を入力とし、前記所望の周波数特性を前記スピーカが有する振動に関する特性で除算して求められるフィルタ係数に基づいて処理する前段フィルタをさらに備える、請求項１０に記載のスピーカ装置。
【請求項１８】
前記スピーカに所定のレベル以上の電気信号が入力されないように電気信号のレベルを制限するリミッタをさらに備える、請求項１０に記載のスピーカ装置。
【請求項１９】
前記フィードフォワード処理部と前記スピーカとの間に設けられ、前記スピーカに入力されるべき電気信号のゲインを増幅するパワーアンプをさらに備え、
前記フィードフォワード処理部における前記フィルタ係数と前記理想フィルタにおけるフィルタ係数は、前記パワーアンプにおいて増幅されるゲインの逆数が乗算されたフィルタ係数である、請求項１０に記載のスピーカ装置。
【請求項２０】
前記支持系部材のスティフネスを示す振動変位特性の変化は、前記支持系部材を構成する材料の経年変化、または、前記支持系部材を構成する材料のクリープ現象によって生じる、請求項１に記載のスピーカ装置。
【請求項２１】
前記支持系部材を構成する材料は、布、または、樹脂である、請求項１に記載のスピーカ装置。
【請求項２２】
振動板と、当該振動板を振動可能に支持するためのエッジおよびダンパで構成される支持系部材と、当該振動板を振動可能にする駆動力を発生させるボイスコイルとを含むスピーカに対して入力されるべき電気信号を処理する集積回路であって、
前記振動板の振動変位に対する前記支持系部材のスティフネスを示す振動変位特性をモデル化した固定のパラメータと、前記ボイスコイルに作用する力係数であって前記振動板の振動変位に対する力係数を示す振動変位特性をモデル化した固定のパラメータとを少なくとも含むフィルタ係数であって、各パラメータの非線形成分を打ち消すように設定されたフィルタ係数に基づいて、スピーカに入力されるべき電気信号をフィードフォワード処理するフィードフォワード処理部と、
前記振動板の振動を検出し、当該振動に関する電気信号を、前記スピーカに入力されるべき電気信号に対してフィードバック処理するフィードバック処理部とを備え、
前記フィードバック処理部は、前記支持系部材のスティフネスを示す振動変位特性の変化を打ち消すように、かつ、前記振動板の振動に応じた周波数特性を所望の周波数特性となるように、前記振動に関する電気信号をフィードバック処理する、集積回路。
【手続補正２】
【補正対象書類名】明細書
【補正対象項目名】０００９
【補正方法】変更
【補正の内容】
【０００９】
第１の発明は、スピーカ装置であって、振動板と、当該振動板を振動可能に支持するためのエッジおよびダンパで構成される支持系部材と、当該振動板を振動可能にする駆動力を発生させるボイスコイルとを含むスピーカと、振動板の振動変位に対する支持系部材のスティフネスを示す振動変位特性をモデル化した固定のパラメータと、ボイスコイルに作用する力係数であって振動板の振動変位に対する力係数を示す振動変位特性をモデル化した固定のパラメータとを少なくとも含むフィルタ係数であって、各パラメータの非線形成分を打ち消すように設定されたフィルタ係数に基づいて、スピーカに入力されるべき電気信号をフィードフォワード処理するフィードフォワード処理部と、振動板の振動を検出し、当該振動に関する電気信号を、スピーカに入力されるべき電気信号に対してフィードバック処理するフィードバック処理部とを備え、フィードバック処理部は、支持系部材のスティフネスを示す振動変位特性の変化を打ち消すように、かつ、振動板の振動に関する周波数特性を所望の周波数特性となるように、振動に関する電気信号をフィードバック処理する。
【手続補正３】
【補正対象書類名】明細書
【補正対象項目名】００１０
【補正方法】変更
【補正の内容】
【００１０】
第２の発明は、上記第１の発明において、フィードバック処理部は、スピーカに入力されるべき電気信号を入力とし、当該電気信号の周波数特性を所望の周波数特性に変換する理想フィルタと、振動板の振動を検出するセンサと、理想フィルタにおいて変換された所望の周波数特性を示す電気信号とセンサにおいて検出された振動に関する電気信号との差分をとり、当該差分した電気信号を誤差信号として出力する第１の加算器と、フィードフォワード処理部において処理された電気信号と誤差信号とを加算して、スピーカに出力する第２の加算器とを有する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
第３の発明は、上記第２の発明において、フィードフォワード処理部は、スピーカに入力されるべき電気信号を入力とし、フィルタ係数に基づいて、当該電気信号を処理する除去フィルタと、スピーカに入力されるべき電気信号を入力とし、振動板が線形で振動すると仮定したときの振動変位を示す電気信号を生成する線形フィルタとを有し、除去フィルタは、線形フィルタにおいて生成された振動変位を示す電気信号を参照することを特徴とする。
【手続補正７】
【補正対象書類名】明細書
【補正対象項目名】００１４
【補正方法】変更
【補正の内容】
【００１４】
第４の発明は、上記第３の発明において、第２の加算器とスピーカとの間に設けられ、スピーカに入力されるべき電気信号のゲインを増幅するパワーアンプをさらに備え、除去フィルタにおけるフィルタ係数、理想フィルタにおけるフィルタ係数、および線形フィルタにおけるフィルタ係数は、パワーアンプにおいて増幅されるゲインの逆数が乗算されたフィルタ係数である。
【手続補正８】
【補正対象書類名】明細書
【補正対象項目名】００１５
【補正方法】変更
【補正の内容】
【００１５】
第５の発明は、上記第２の発明において、センサにおいて検出された電気信号は、振動板の振動変位を示す電気信号であり、フィードフォワード処理部は、センサにおいて検出された振動変位を示す電気信号を参照することを特徴とする。
【手続補正９】
【補正対象書類名】明細書
【補正対象項目名】００１６
【補正方法】変更
【補正の内容】
【００１６】
第６の発明は、上記第２の発明において、フィードフォワード処理部の前段に設けられ、スピーカに入力されるべき電気信号を入力とし、所望の周波数特性をスピーカが有する振動に関する特性で除算して求められるフィルタ係数に基づいて処理する前段フィルタをさらに備える。
【手続補正１０】
【補正対象書類名】明細書
【補正対象項目名】００１７
【補正方法】変更
【補正の内容】
【００１７】
第７の発明は、上記第２の発明において、スピーカに所定のレベル以上の電気信号が入力されないように電気信号のレベルを制限するリミッタをさらに備える。
【手続補正１１】
【補正対象書類名】明細書
【補正対象項目名】００１８
【補正方法】変更
【補正の内容】
【００１８】
第８の発明は、上記第２の発明において、第２の加算器とスピーカとの間に設けられ、スピーカに入力されるべき電気信号のゲインを増幅するパワーアンプをさらに備え、フィードフォワード処理部におけるフィルタ係数と理想フィルタにおけるフィルタ係数は、パワーアンプにおいて増幅されるゲインの逆数が乗算されたフィルタ係数である。
【手続補正１２】
【補正対象書類名】明細書
【補正対象項目名】００１９
【補正方法】変更
【補正の内容】
【００１９】
第９の発明は、上記第１の発明において、フィードフォワード処理部は、スピーカの前段に設けられ、かつ、フィードバック処理部で形成されるフィードバックループ内に設けられることを特徴とする。
【手続補正１３】
【補正対象書類名】明細書
【補正対象項目名】００２０
【補正方法】変更
【補正の内容】
【００２０】
第１０の発明は、上記第１の発明において、フィードバック処理部は、スピーカに入力されるべき電気信号を入力とし、当該電気信号の周波数特性を所望の周波数特性に変換する理想フィルタと、振動板の振動を検出するセンサと、理想フィルタにおいて変換された所望の周波数特性を示す電気信号とセンサにおいて検出された振動に関する電気信号との差分をとり、当該差分した電気信号を誤差信号として出力する第１の加算器と、スピーカに入力されるべき電気信号と誤差信号とを加算して、フィードフォワード処理部に出力する第２の加算器とを有し、フィードフォワード処理部は、第２の加算器から出力された電気信号をフィードフォワード処理してスピーカに出力する。
【手続補正１４】
【補正対象書類名】明細書
【補正対象項目名】００２１
【補正方法】変更
【補正の内容】
【００２１】
第１１の発明は、上記第１０の発明において、第２の加算器とフィードフォワード処理部との間に設けられ、スピーカに入力されるべき電気信号のゲインが第１の周波数以下の周波数帯域において−６ｄＢ／ｏｃｔ以下の傾きで傾斜する特性を示すフィルタ係数を有するローパスフィルタをさらに備え、第１の周波数は、フィードバック処理部で形成されるフィードバックループの開ループ伝達特性が示すゲイン交差周波数以上の周波数であることを特徴とする。
【手続補正１５】
【補正対象書類名】明細書
【補正対象項目名】００２２
【補正方法】変更
【補正の内容】
【００２２】
第１２の発明は、上記第１０の発明において、フィードフォワード処理部の前段に設けられ、スピーカに入力されるべき電気信号のゲインが第２の周波数以下の周波数帯域において６ｄＢ／ｏｃｔ以上の傾きで傾斜する特性を示すフィルタ係数を有するハイパスフィルタをさらに備え、第２の周波数は、フィードバック処理部で形成されるフィードバックループの開ループ伝達特性が示すゲイン交差周波数以上の周波数であることを特徴とする。
【手続補正１６】
【補正対象書類名】明細書
【補正対象項目名】００２３
【補正方法】変更
【補正の内容】
【００２３】
第１３の発明は、上記第１０の発明において、第２の加算器とフィードフォワード処理部との間に設けられ、スピーカに入力されるべき電気信号のゲインが第１の周波数以下の周波数帯域において−６ｄＢ／ｏｃｔ以下の傾きで傾斜する特性を示すフィルタ係数を有するローパスフィルタと、フィードフォワード処理部の前段に設けられ、スピーカに入力されるべき電気信号のゲインが第２の周波数以下の周波数帯域において６ｄＢ／ｏｃｔ以上の傾きで傾斜する特性を示すフィルタ係数を有するハイパスフィルタとをさらに備え、第１および第２の周波数は、フィードバック処理部で形成されるフィードバックループの開ループ伝達特性が示すゲイン交差周波数以上の周波数であることを特徴とする。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
第１４の発明は、上記第１０の発明において、フィードフォワード処理部は、第２の加算器から出力された電気信号を入力とし、フィルタ係数に基づいて、当該電気信号を処理する除去フィルタと、第２の加算器から出力された電気信号を入力とし、振動板が線形で振動すると仮定したときの振動変位を示す電気信号を生成する線形フィルタとを有し、除去フィルタは、線形フィルタにおいて生成された振動変位を示す電気信号を参照することを特徴とする。
【手続補正２０】
【補正対象書類名】明細書
【補正対象項目名】００２７
【補正方法】変更
【補正の内容】
【００２７】
第１５の発明は、上記第１４の発明において、フィードフォワード処理部とスピーカとの間に設けられ、スピーカに入力されるべき電気信号のゲインを増幅するパワーアンプをさらに備え、除去フィルタにおけるフィルタ係数、理想フィルタにおけるフィルタ係数、および線形フィルタにおけるフィルタ係数は、パワーアンプにおいて増幅されるゲインの逆数が乗算されたフィルタ係数である。
【手続補正２１】
【補正対象書類名】明細書
【補正対象項目名】００２８
【補正方法】変更
【補正の内容】
【００２８】
第１６の発明は、上記第１０の発明において、センサにおいて検出された電気信号は、振動板の振動変位を示す電気信号であり、フィードフォワード処理部は、センサにおいて検出された振動変位を示す電気信号を参照することを特徴とする。
【手続補正２２】
【補正対象書類名】明細書
【補正対象項目名】００２９
【補正方法】変更
【補正の内容】
【００２９】
第１７の発明は、上記第１０の発明において、第２の加算器の前段に設けられ、スピーカに入力されるべき電気信号を入力とし、所望の周波数特性をスピーカが有する振動に関する特性で除算して求められるフィルタ係数に基づいて処理する前段フィルタをさらに備える。
【手続補正２３】
【補正対象書類名】明細書
【補正対象項目名】００３０
【補正方法】変更
【補正の内容】
【００３０】
第１８の発明は、上記第１０の発明において、スピーカに所定のレベル以上の電気信号が入力されないように電気信号のレベルを制限するリミッタをさらに備える。
【手続補正２４】
【補正対象書類名】明細書
【補正対象項目名】００３１
【補正方法】変更
【補正の内容】
【００３１】
第１９の発明は、上記第１０の発明において、フィードフォワード処理部とスピーカとの間に設けられ、スピーカに入力されるべき電気信号のゲインを増幅するパワーアンプをさらに備え、フィードフォワード処理部におけるフィルタ係数と理想フィルタにおけるフィルタ係数は、パワーアンプにおいて増幅されるゲインの逆数が乗算されたフィルタ係数である。また第２０の発明は、上記第１の発明において、支持系部材のスティフネスを示す振動変位特性の変化は、支持系部材を構成する材料の経年変化、または、支持系部材を構成する材料のクリープ現象によって生じるものである。また第２１の発明は、上記第１の発明において、支持系部材を構成する材料は、布、または、樹脂である。
【手続補正２５】
【補正対象書類名】明細書
【補正対象項目名】００３２
【補正方法】変更
【補正の内容】
【００３２】
第２２の発明は、集積回路であって、振動板と、当該振動板を振動可能に支持するためのエッジおよびダンパで構成される支持系部材と、当該振動板を振動可能にする駆動力を発生させるボイスコイルとを含むスピーカに対して入力されるべき電気信号を処理する集積回路であって、振動板の振動変位に対する支持系部材のスティフネスを示す振動変位特性をモデル化した固定のパラメータと、ボイスコイルに作用する力係数であって振動板の振動変位に対する力係数を示す振動変位特性をモデル化した固定のパラメータとを少なくとも含むフィルタ係数であって、各パラメータの非線形成分を打ち消すように設定されたフィルタ係数に基づいて、スピーカに入力されるべき電気信号をフィードフォワード処理するフィードフォワード処理部と、振動板の振動を検出し、当該振動に関する電気信号を、スピーカに入力されるべき電気信号に対してフィードバック処理するフィードバック処理部とを備え、フィードバック処理部は、支持系部材のスティフネスを示す振動変位特性の変化を打ち消すように、かつ、振動板の振動に応じた周波数特性を所望の周波数特性となるように、振動に関する電気信号をフィードバック処理する。
【手続補正２６】
【補正対象書類名】明細書
【補正対象項目名】００３３
【補正方法】変更
【補正の内容】
【００３３】
上記第１の発明によれば、各パラメータの非線形成分を打ち消すように設定されたフィルタ係数に基づくフィードフォワード処理によって、大部分の非線形歪を除去することができる。さらに、フィードバック処理によって、例えばスピーカにおける支持系のスティフネスの経年変化などに対してロバストな歪の除去を行うことができる。つまり、本発明によれば、フィードフォワード処理部が上記フィルタ係数に基づく処理を行い、フィードバック処理部が上記ロバストな歪の除去を行うことで、スピーカのパラメータを更新する処理を行うことなく、より安定的で実現性の高い歪除去処理が可能なスピーカ装置を提供することができる。さらに、本発明によれば、フィードバック処理によって、支持系部材のスティフネスを示す振動変位特性の変化を打ち消し、かつ、スピーカの振動に関する周波数特性を所望の周波数特性に近づけることができる。
【手続補正２７】
【補正対象書類名】明細書
【補正対象項目名】００３４
【補正方法】変更
【補正の内容】
【００３４】
上記第２の発明によれば、各パラメータの非線形成分を打ち消すように設定されたフィルタ係数に基づくフィードフォワード処理によって、大部分の非線形歪を除去することができ、また誤差信号に基づくフィードバック処理によって、例えばスピーカにおける支持系のスティフネスの経年変化などに対してロバストな歪の除去を行うことができる。これにより、より安定的で実現性の高い歪除去処理が可能なスピーカ装置を提供することができる。さらに、本発明によれば、理想フィルタによって、スピーカの振動に関する周波数特性を所望の周波数特性に近づけることができる。
【手続補正２８】
【補正対象書類名】明細書
【補正対象項目名】００３５
【補正方法】変更
【補正の内容】
【００３５】
なお、パラメータの非線形成分を打ち消すようにスピーカに入力されるべき電気信号を処理することで、スピーカから発生する非線形歪をより効果的に除去することができる。
【手続補正２９】
【補正対象書類名】明細書
【補正対象項目名】００３６
【補正方法】変更
【補正の内容】
【００３６】
また、スピーカの振動変位に応じた精度の高い歪除去処理を行うことができる。
【手続補正３０】
【補正対象書類名】明細書
【補正対象項目名】００３７
【補正方法】変更
【補正の内容】
【００３７】
上記第３の発明によれば、振動板が線形で振動するときの振動変位に基づく処理が可能となり、より高効率な歪除去処理を行うことができる。
【手続補正３１】
【補正対象書類名】明細書
【補正対象項目名】００３８
【補正方法】変更
【補正の内容】
【００３８】
上記第４の発明によれば、除去フィルタ、理想フィルタ、および線形フィルタにおける内部演算において処理可能な電圧が小さい場合であっても、歪除去効果を維持した処理が可能となる。また、パワーアンプがフィードバックループ内に設けられることで、フィードバックゲインが大きくなり、歪低減効果を向上させることができる。
【手続補正３２】
【補正対象書類名】明細書
【補正対象項目名】００３９
【補正方法】変更
【補正の内容】
【００３９】
上記第５の発明によれば、実際のスピーカの振動に即した歪除去処理を行うことができる。
【手続補正３３】
【補正対象書類名】明細書
【補正対象項目名】００４０
【補正方法】変更
【補正の内容】
【００４０】
上記第６の発明によれば、スピーカから出力される振動に関する特性において、所望の周波数特性への収束性を高めることができる。
【手続補正３４】
【補正対象書類名】明細書
【補正対象項目名】００４１
【補正方法】変更
【補正の内容】
【００４１】
上記第７の発明によれば、過入力によるスピーカの破損を防止することができる。
【手続補正３５】
【補正対象書類名】明細書
【補正対象項目名】００４２
【補正方法】変更
【補正の内容】
【００４２】
上記第８の発明によれば、フィードフォワード処理部および理想フィルタにおける内部演算において処理可能な電圧が小さい場合であっても、歪除去効果を維持した処理が可能となる。また、パワーアンプがフィードバックループ内に設けられることで、フィードバックゲインが大きくなり、歪低減効果を向上させることができる。
【手続補正３６】
【補正対象書類名】明細書
【補正対象項目名】００４３
【補正方法】変更
【補正の内容】
【００４３】
上記第９の発明によれば、フィードフォワード処理部がフィードバックループ内に配置されることにより、スピーカの振幅が大きくなっても、より低い周波数帯域まで歪除去効果を発揮することができる。
【手続補正３７】
【補正対象書類名】明細書
【補正対象項目名】００４４
【補正方法】変更
【補正の内容】
【００４４】
上記第１０の発明によれば、フィードフォワード処理部がフィードバックループ内に配置されることにより、スピーカの振幅が大きくなっても、より低い周波数帯域まで歪除去効果を発揮することができる。
【手続補正３８】
【補正対象書類名】明細書
【補正対象項目名】００４５
【補正方法】変更
【補正の内容】
【００４５】
上記第１１の発明によれば、ローパスフィルタによってゲイン交差周波数が低下するので、より低い周波数帯域まで歪除去効果を発揮することができる。
【手続補正３９】
【補正対象書類名】明細書
【補正対象項目名】００４６
【補正方法】変更
【補正の内容】
【００４６】
上記第１２の発明によれば、ハイパスフィルタによってゲイン交差周波数以下の電気信号が入力されないので、ゲイン交差周波数以下の電気信号が入力されることによって生じる歪を予め除去することができ、より高い歪除去効果を得ることができる。
【手続補正４０】
【補正対象書類名】明細書
【補正対象項目名】００４７
【補正方法】変更
【補正の内容】
【００４７】
上記第１３の発明によれば、ローパスフィルタによってゲイン交差周波数が低下するので、より低い周波数帯域まで歪除去効果を発揮することができる。さらに、ハイパスフィルタによってゲイン交差周波数以下の電気信号が入力されないので、ゲイン交差周波数以下の電気信号が入力されることによって生じる歪を予め除去することができ、より高い歪除去効果を得ることができる。